(57)【特許請求の範囲】
【請求項１】
管理者が利用する管理者端末と前記管理者の管理の対象となる従業員が利用する従業員端末とに通信可能な情報処理装置であって、
前記管理者端末に、前記従業員を示す情報を含む表示画面を提供する画面提供部と、
前記管理者端末から、前記従業員に遂行させるタスクである遂行タスク、前記遂行タスクの完了期限、及び前記管理者による前記遂行タスクの難易度の評価を示す管理者評価情報を取得する管理者評価取得部と、
前記従業員端末から、前記従業員による前記遂行タスクの遂行前に、当該遂行タスクの難易度の評価を示す事前評価情報を取得する従業員評価取得部と、を備え、
前記画面提供部は、前記従業員端末に、前記遂行タスクと前記完了期限とを示す表示画面を提供するとともに、前記管理者端末に、前記管理者による前記遂行タスクの難易度の評価に応じて定まるアドバイスと、前記管理者による前記遂行タスクの難易度の評価と前記従業員による前記遂行タスクの難易度の評価との差に応じて定まるアドバイスとを示す表示画面を提供する、
情報処理装置。
【請求項２】
前記従業員端末から前記遂行タスクの完了を示す情報を取得する完了情報取得部をさらに備え、
前記管理者評価取得部は、前記遂行タスクの成果に対する前記管理者の評価を示すタスク評価情報をさらに取得し、
前記画面提供部は、前記管理者端末に、前記管理者評価情報が示す難易度の評価と前記タスク評価情報が示す評価とに応じて定まるアドバイスを示す表示画面を提供する、
請求項１に記載の情報処理装置。
【請求項３】
前記従業員評価取得部は、前記従業員端末から、前記遂行タスクの遂行に関して前記管理者が行ったマネージメントに対する前記従業員の評価を示すマネージメント評価情報をさらに取得する、
請求項１又は２に記載の情報処理装置。
【請求項４】
前記画面提供部は、前記管理者端末に、前記従業員を示す情報として、当該従業員のコンディションを示す情報と自己効力感を示す情報とをさらに提供する、
請求項１から３のいずれか１項に記載の情報処理装置。
【請求項５】
管理者が利用する管理者端末と前記管理者の管理の対象となる従業員が利用する従業員端末とに通信可能な情報処理装置のプロセッサが、
前記管理者端末に、前記従業員を示す情報を含む表示画面を提供するステップと、
前記管理者端末から、前記従業員に遂行させるタスクである遂行タスク、前記遂行タスクの完了期限、及び前記管理者による前記遂行タスクの難易度の評価を示す管理者評価情報を取得するステップと、
前記従業員端末に、前記遂行タスクと前記完了期限とを示す表示画面を提供するステップと、
前記従業員端末から、前記従業員による前記遂行タスクの遂行前に、当該遂行タスクの難易度の評価を示す事前評価情報を取得するステップと、
前記管理者端末に、前記管理者による前記遂行タスクの難易度の評価に応じて定まるアドバイスと、前記管理者による前記遂行タスクの難易度の評価と前記従業員による前記遂行タスクの難易度の評価との差に応じて定まるアドバイスとを示す表示画面を提供するステップと、
を実行する情報処理方法。
【請求項６】
管理者が利用する管理者端末と前記管理者の管理の対象となる従業員が利用する従業員端末とに通信可能なコンピュータに、
前記管理者端末に、前記従業員を示す情報を含む表示画面を提供する機能と、
前記管理者端末から、前記従業員に遂行させるタスクである遂行タスク、前記遂行タスクの完了期限、及び前記管理者による前記遂行タスクの難易度の評価を示す管理者評価情報を取得する機能と、
前記従業員端末に、前記遂行タスクと前記完了期限とを示す表示画面を提供する機能と、
前記従業員端末から、前記従業員による前記遂行タスクの遂行前に、当該遂行タスクの難易度の評価を示す事前評価情報を取得する機能と、
前記管理者端末に、前記管理者による前記遂行タスクの難易度の評価に応じて定まるアドバイスと、前記管理者による前記遂行タスクの難易度の評価と前記従業員による前記遂行タスクの難易度の評価との差に応じて定まるアドバイスとを示す表示画面を提供する機能と、
を実現させるプログラム。
【発明の詳細な説明】
【技術分野】
【０００１】
本発明は、情報処理装置、情報処理方法、及びプログラムに関する。
【背景技術】
【０００２】
組織における様々な業務を効率的に行うことを目的とした業務システムが種々提案されている。例えば特許文献１には、業務に関連する業務タスクを中心として業務管理を提供する業務タスク管理装置が記載されている。
【先行技術文献】
【特許文献】
【０００３】
【特許文献１】特開２０１５−１３３０１４号公報
【発明の概要】
【発明が解決しようとする課題】
【０００４】
多くの組織において、従業員を管理する立場にある管理者が、遂行させるべきタスクを従業員に割り当て、業務を割り当てられた従業員がその業務を遂行することが行われている。ここで、業務遂行の難易度は各業務によってばらつきがあり、また、業務を遂行する能力も各従業員によって異なることが通常である。
【０００５】
管理者のタスクが従業員を含むグループ全体での業務の達成であることを鑑みると、管理者は従業員に対して単に業務を割り振ることにとどまらず、業務を割り振った従業員がその業務を遂行するための支援も管理者の重要なタスクといえる。
【０００６】
本発明はこれらの点に鑑みてなされたものであり、管理者がタスク遂行を依頼した従業員の支援をするための技術を提供することを目的とする。
【課題を解決するための手段】
【０００７】
本発明の第１の態様は、管理者が利用する管理者端末と前記管理者の管理の対象となる従業員が利用する従業員端末とに通信可能な情報処理装置である。この装置は、前記管理者端末に、前記従業員を示す情報を含む表示画面を提供する画面提供部と、前記管理者端末から、前記従業員に遂行させるタスクである遂行タスク、前記遂行タスクの完了期限、及び前記管理者による前記遂行タスクの難易度の評価を示す管理者評価情報を取得する管理者評価取得部と、を備える。ここで、前記画面提供部は、前記従業員端末に、前記遂行タスクと前記完了期限とを示す表示画面を提供するとともに、前記管理者端末に、前記管理者による前記遂行タスクの難易度の評価に応じて定まるアドバイスを示す表示画面を提供する。
【０００８】
前記情報処理装置は、前記従業員端末から、前記従業員による前記遂行タスクの遂行前に、当該遂行タスクの難易度の評価を示す事前評価情報を取得する従業員評価取得部をさらに備えてもよく、前記画面提供部は、前記管理者端末に、前記管理者による前記遂行タスクの難易度の評価と前記従業員による前記遂行タスクの難易度の評価との差に応じて定まるアドバイスを示す表示画面を提供してもよい。
【０００９】
前記情報処理装置は、前記従業員端末から前記遂行タスクの完了を示す情報を取得する完了情報取得部をさらに備えてもよく、前記管理者評価取得部は、前記遂行タスクの成果に対する前記管理者の評価を示すタスク評価情報をさらに取得してもよく、前記画面提供部は、前記管理者端末に、前記管理者評価情報が示す難易度の評価と前記タスク評価情報が示す評価とに応じて定まるアドバイスを示す表示画面を提供してもよい。
【００１０】
前記従業員評価取得部は、前記従業員端末から、前記遂行タスクの遂行に関して前記管理者が行ったマネージメントに対する前記従業員の評価を示すマネージメント評価情報をさらに取得してもよい。
【００１１】
前記画面提供部は、前記管理者端末に、前記従業員を示す情報として、当該従業員のコンディションを示す情報と自己効力感を示す情報とをさらに提供してもよい。
【００１２】
本発明の第２の態様は、情報処理方法である。この方法において、管理者が利用する管理者端末と前記管理者の管理の対象となる従業員が利用する従業員端末とに通信可能な情報処理装置のプロセッサが、前記管理者端末に、前記従業員を示す情報を含む表示画面を提供するステップと、前記管理者端末から、前記従業員に遂行させるタスクである遂行タスク、前記遂行タスクの完了期限、及び前記管理者による前記遂行タスクの難易度の評価を示す管理者評価情報を取得するステップと、前記従業員端末に、前記遂行タスクと前記完了期限とを示す表示画面を提供するステップと、前記管理者端末に、前記管理者による前記遂行タスクの難易度の評価に応じて定まるアドバイスを示す表示画面を提供するステップと、を実行する。
【００１３】
本発明の第３の態様は、プログラムである。このプログラムは、管理者が利用する管理者端末と前記管理者の管理の対象となる従業員が利用する従業員端末とに通信可能なコンピュータに、前記管理者端末に、前記従業員を示す情報を含む表示画面を提供する機能と、前記管理者端末から、前記従業員に遂行させるタスクである遂行タスク、前記遂行タスクの完了期限、及び前記管理者による前記遂行タスクの難易度の評価を示す管理者評価情報を取得する機能と、前記従業員端末に、前記遂行タスクと前記完了期限とを示す表示画面を提供する機能と、前記管理者端末に、前記管理者による前記遂行タスクの難易度の評価に応じて定まるアドバイスを示す表示画面を提供する機能と、を実現させる。
【００１４】
このプログラムを提供するため、あるいはプログラムの一部をアップデートするために、このプログラムを記録したコンピュータ読み取り可能な記録媒体が提供されてもよく、また、このプログラムが通信回線で伝送されてもよい。
【００１５】
なお、以上の構成要素の任意の組み合わせ、本発明の表現を方法、装置、システム、コンピュータプログラム、データ構造、記録媒体などの間で変換したものもまた、本発明の態様として有効である。
【発明の効果】
【００１６】
本発明によれば、管理者がタスク遂行を依頼した従業員の支援をするための技術を提供することができる。
【図面の簡単な説明】
【００１７】
【図１】実施の形態に係る情報処理システムにおける処理の概要を説明するための模式図である。
【図２】実施の形態に係る情報処理装置の機能構成を模式的に示す図である。
【図３】実施の形態に係る画面提供部が管理者端末に提供する従業員を示す情報を含む表示画面を例示する模式図である。
【図４】実施の形態に係る画面提供部が管理者端末に提供する、タスク作成用の表示画面を例示する模式図である。
【図５】実施の形態に係る画面提供部が従業員端末に提供する、遂行タスク表示用の表示画面を例示する模式図である。
【図６】実施の形態に係るアドバイス取得部が参照する第１アドバイスデータベースのデータ構造を模式的に示す図である。
【図７】実施の形態に係る画面提供部が従業員端末に提供する、タスク回答用の表示画面を例示する模式図である。
【図８】実施の形態に係るアドバイス取得部が参照する第２アドバイスデータベースのデータ構造を模式的に示す図である。
【図９】実施の形態に係る画面提供部が管理者端末に提供する、成果に対する管理者の評価用の表示画面を例示する模式図である。
【図１０】実施の形態に係るアドバイス取得部が参照する第３アドバイスデータベースのデータ構造を模式的に示す図である。
【図１１】実施の形態に係る画面提供部が従業員端末に提供する、タスク遂行のために管理者がした行動を従業員が評価するための表示画面を例示する模式図である。
【図１２】実施の形態に係る情報処理システムで実行される情報処理の流れの前半部分を説明するためのシーケンス図である。
【図１３】実施の形態に係る情報処理システムで実行される情報処理の流れの後半部分を説明するためのシーケンス図である。
【発明を実施するための形態】
【００１８】
＜実施の形態の概要＞
実施の形態の概要を述べる。実施の形態に係る情報処理装置は、管理者が従業員にタスクを割り振るためのタスク管理システムとしての機能を備える。実施の形態に係る情報処理装置は、管理者が従業員にタスクを割り当てる際に、そのタスクの難易度に関する管理者の評価を取得し、その難易度に応じて従業員に提示すべきアドバイスを管理者が利用する管理者端末に表示させる。これにより、管理者は、タスク遂行を依頼した従業員に対して、タスクを遂行するための助言を容易に把握することができる。
【００１９】
実施の形態に係る情報処理装置は、管理者がタスク遂行を依頼した従業員から、そのタスクを遂行する前にタスクの難易度に関する従業員の評価をさらに取得する。実施の形態に係る情報処理装置は、管理者による難易度の評価と従業員による難易度の評価との差に応じて、管理者が従業員に提示すべきアドバイスを管理者端末に表示させる。これにより、タスクに対する管理者と従業員との評価が一致するか否かに応じて、タスクを遂行するために従業員に提示すべき助言を容易に変更することができる。
【００２０】
図１は、実施の形態に係る情報処理システムＳにおける処理の概要を説明するための模式図である。図１に示すように、情報処理システムＳは情報処理装置１、管理者Ｍが利用する管理者端末２、及び第１従業員Ｅａ及び第２従業員Ｅｂがそれぞれ利用する第１従業員端末３ａと第２従業員端末３ｂとを含む。管理者端末２と従業員端末３（第１従業員端末３ａ及び第２業員端末３ｂ）とは、情報処理装置１を介して互いに通信可能な態様で接続されている。なお、図１には２台の従業員端末３のみが図示されているが、管理者Ｍの管理の対象となる従業員Ｅが３人以上存在する場合は、従業員端末３の数も３以上となる。以下、本明細書において、第１従業員端末３ａと第２従業員端末３ｂとを区別する場合を除いて、単に従業員端末３と記載する。同様に、第１従業員Ｅａと第２従業員Ｅｂとを区別する場合を除いて、単に従業員Ｅと記載する。
【００２１】
以下、図１を参照して、情報処理システムＳにおける処理の概要を（１）から（１１）の順に説明するが、その数字は図１における（１）から（１１）と対応する。
【００２２】
（１）情報処理装置１は、管理者端末２に、管理者Ｍによる管理の対象となる従業員Ｅの一覧を示す情報を含む表示画面を提供する。
（２）管理者Ｍは、管理者端末２に表示された表示画面上で、タスクを遂行させる従業員Ｅ、従業員Ｅに遂行させるタスクである遂行タスク、遂行タスクの完了期限、及び管理者Ｍによる遂行タスクの難易度の評価を示す指標を入力する。なお、図１に示す例では、管理者Ｍは、タスクを遂行させる従業員Ｅとして第２従業員Ｅｂを選択したものとする。
【００２３】
（３）情報処理装置１は、管理者端末２から、タスクを遂行させる第２従業員Ｅｂ、遂行タスク、遂行タスクの完了期限、及び管理者Ｍによる遂行タスクの難易度の評価を示す管理者評価情報を取得する。
（４）情報処理装置１は、管理者端末２から取得した管理者Ｍによる難易度の評価に基づいて定まるアドバイスを管理者端末２に提供する。これにより、情報処理装置１から提供されたアドバイスを見た管理者Ｍは、タスク遂行を依頼する第２従業員Ｅｂに対するアドバイスの参考とすることができる。
【００２４】
（５）情報処理装置１は、第２従業員Ｅｂが利用する第２従業員端末３ｂに、遂行タスクと完了期限を示す表示画面を提供する。
（６）情報処理装置１は、第２従業員端末３ｂから、第２従業員Ｅｂによる遂行タスクの遂行前に、その遂行タスクの難易度の評価を示す事前評価情報を取得する。
【００２５】
（７）情報処理装置１は、管理者Ｍによる遂行タスクの難易度の評価と第２従業員Ｅｂによる遂行タスクの難易度の評価との差を算出する。
（８）情報処理装置１は、管理者Ｍによる遂行タスクの難易度の評価と第２従業員Ｅｂによる遂行タスクの難易度の評価との差に応じて定まるアドバイスを管理者端末２に提供する。例えば、管理者Ｍによる遂行タスクの難易度の評価と第２従業員Ｅｂによる遂行タスクの難易度の評価との差が大きいときは、管理者Ｍと第２従業員Ｅｂとで遂行タスクに対する理解に乖離がある可能性がある。情報処理装置１が管理者端末２に提供するアドバイスには、このような場合に管理者Ｍが第２従業員Ｅｂに対して伝えるべき事項の例が含まれている。管理者Ｍは、情報処理装置１から提供されたアドバイスを見ることにより、タスク遂行を依頼する第２従業員Ｅｂに対するアドバイスの参考とすることができる。
【００２６】
（９）情報処理装置１は、第２従業員端末３ｂから、遂行タスクの完了を示す情報を取得する。
（１０）情報処理装置１は、管理者端末２から、遂行タスクに対する管理者Ｍの評価を示すタスク評価情報を取得する。
（１１）情報処理装置１は、管理者端末２に、管理者評価情報が示す難易度の評価とタスク評価情報が示す評価とに応じて定まるアドバイスを提供する。管理者Ｍは、情報処理装置１から提供されたアドバイスを見ることにより、遂行タスクの難易度を踏まえた成果に関する評価を第２従業員Ｅｂにフィードバックする際の参考とすることができる。
【００２７】
このように、情報処理装置１は、管理者Ｍがタスク遂行を依頼した従業員Ｅの支援をするために参考となる情報を管理者端末２に提供することができる。
【００２８】
＜実施の形態に係る情報処理装置１の機能構成＞
図２は、実施の形態に係る情報処理装置１の機能構成を模式的に示す図である。情報処理装置１は、管理者Ｍが利用する管理者端末２と従業員Ｅが利用する従業員端末３とに通信可能な情報処理装置であり、記憶部１０と制御部１１とを備える。
【００２９】
図２において、矢印は主なデータの流れを示しており、図２に示していないデータの流れがあってもよい。図２において、各機能ブロックはハードウェア（装置）単位の構成ではなく、機能単位の構成を示している。そのため、図２に示す機能ブロックは単一の装置内に実装されてもよく、あるいは複数の装置内に分かれて実装されてもよい。機能ブロック間のデータの授受は、データバス、ネットワーク、可搬記憶媒体等、任意の手段を介して行われてもよい。
【００３０】
記憶部１０は、情報処理装置１を実現するコンピュータのＢＩＯＳ（Basic Input Output System）等を格納するＲＯＭ（Read Only Memory）や情報処理装置１の作業領域となるＲＡＭ（Random Access Memory）、ＯＳ（Operating System）やアプリケーションプログラム、当該アプリケーションプログラムの実行時に参照される種々の情報を格納するＨＤＤ（Hard Disk Drive）やＳＳＤ（Solid State Drive）等の大容量記憶装置である。
【００３１】
制御部１１は、情報処理装置１のＣＰＵ（Central Processing Unit）やＧＰＵ（Graphics Processing Unit）等のプロセッサであり、記憶部１０に記憶されたプログラムを実行することによって画面提供部１１０、管理者評価取得部１１１、アドバイス取得部１１２、従業員評価取得部１１３、及び完了情報取得部１１４として機能する。
【００３２】
なお、図２は、情報処理装置１が単一の装置で構成されている場合の例を示している。しかしながら、情報処理装置１は、例えばクラウドコンピューティングシステムのように複数のプロセッサやメモリ等の計算リソースによって実現されてもよい。この場合、制御部１１を構成する各部は、複数の異なるプロセッサの中の少なくともいずれかのプロセッサがプログラムを実行することによって実現される。
【００３３】
画面提供部１１０は、管理者端末２に、従業員Ｅを示す情報を含む表示画面を提供する。図３は、実施の形態に係る画面提供部１１０が管理者端末２に提供する表示画面の一例を示す図であり、従業員Ｅを示す情報を含む表示画面を例示する模式図である。図３には、５人の従業員の名前が一覧表示されており、各従業員のタイプ、割り当てられたタスク、タスクの期限、コンディションを示す情報、及び自己効力感を示す情報が表示されている。
【００３４】
ここで、「コンディション」は、例えば各従業員Ｅの覚醒度（従業員Ｅがどれくらい目覚めているかを示す数値）によって表現される。限定はしないが、覚醒度は、０から１００までの数値で表され、数値が大きいほど従業員Ｅのコンディションが良い（すなわち、覚醒度が高い）ことを表している。覚醒度は、例えば従業員Ｅが装着しているウェアラブルデバイスが計測した従業員Ｅの睡眠データに基づいて既知の手法によって算出できる。
【００３５】
また、「自己効力感」は心理学の用語であり、各従業員Ｅがタスク等の目標について、自分であればうまく達成できるという可能性を認識している感覚を意味する。自己効力感が高い従業員Ｅは、困難なタスクであっても前向きかつ建設的な行動を起こすことができると考えられている。「自己効力感」は、例えば、従業員Ｅが難しいタスクを達成するほど高くなり、また、成果に対する評価が高いほど高くなるようなアルゴリズムによって算出される。
【００３６】
「従業員のタイプ」は、従業員の行動に関する大まかな傾向を示す。「主導タイプ」の従業員は、行動的で野心家であり、過程よりも結果を重視するタイプの従業員である。主導タイプの従業員は過程よりも結果重視で、リスクよりも目標達成に向かって邁進するため、目標が明確に見えているとパフォーマンスを発揮しやすい傾向にある。このため、アドバイスも、その傾向に沿ったものとなる。また、「分析タイプ」の従業員は、効率と納得を重視する現実派の従業員である。分析タイプの従業員は、行動する前に多くの情報を集め分析し計画を立て、ペースを乱されるのを嫌がりリスクは避けたがる傾向があり、アドバイスもその傾向に沿ったものとなる。
【００３７】
図３に示す表示画面上で、管理者Ｍがマウス等のポインティングデバイス（不図示）を用いて特定の従業員Ｅを選択すると、画面提供部１１０は管理者端末２に提示する表示画面をタスク作成用の表示画面に遷移させる。
【００３８】
図４は、実施の形態に係る画面提供部１１０が管理者端末２に提供する表示画面の一例を示す図であり、タスク作成用の表示画面を例示する模式図である。図４は、管理者Ｍが、名前がＡＡＡＡである従業員Ｅを選択した場合の例を示している。図４に示すように、タスク作成用の表示画面には、従業員Ｅに遂行させる遂行タスク、遂行タスクの完了期限、及び管理者Ｍによる遂行タスクの難易度の評価を示す管理者評価情報を入力するための入力欄が設けられている。図４では、従業員Ｅに遂行させる遂行タスクは「営業資料まとめ」であり、完了期限は「２０１９年１１月１４日」であり、遂行タスクの難易度の評価は１０段階中「５」である。
【００３９】
管理者評価取得部１１１は、管理者端末２から、従業員Ｅに遂行させる遂行タスク、遂行タスクの完了期限、及び管理者評価情報を取得する。画面提供部１１０は、名前がＡＡＡＡである従業員Ｅが利用する従業員端末３に、遂行タスクと完了期限とを示す表示画面を提供する。
【００４０】
図５は、実施の形態に係る画面提供部１１０が従業員端末３に提供する表示画面の一例を示す図であり、遂行タスク表示用の表示画面を例示する模式図である。図５に示すように、従業員端末３に表示された遂行タスク表示用の表示画面を閲覧することにより、従業員Ｅは管理者Ｍから依頼された遂行タスクを把握することができる。
【００４１】
画面提供部１１０は、タスク表示用の表示画面を従業員端末３に提供するとともに、管理者端末２に、管理者Ｍによる遂行タスクの難易度の評価に応じて定まるアドバイスであって、管理者Ｍが従業員Ｅに遂行タスクを遂行させるためのアドバイスを示す表示画面を提供する。
【００４２】
具体的には、まず、アドバイス取得部１１２は、管理者Ｍがタスク作成用の表示画面に入力した管理者評価情報を管理者評価取得部１１１から取得する。アドバイス取得部１１２は、取得した管理者評価情報に基づいて、第１アドバイスデータベースを参照することによって対応するアドバイスを取得する。
【００４３】
図６は、実施の形態に係るアドバイス取得部１１２が参照する第１アドバイスデータベースのデータ構造を模式的に示す図である。第１アドバイスデータベースは記憶部１０に格納されており、アドバイス取得部１１２によって管理されている。図６に示す例では、第１アドバイスデータベースには、従業員のタイプを第１条件、管理者Ｍによる遂行タスクの難易度の評価を第２条件として、条件毎にアドバイスが格納されている。図６では、アドバイスとして「依頼する仕事の方向性」、「理想的な接し方」、及び「ＮＧ項目」の３つの観点に関するアドバイスが格納されている。
【００４４】
画面提供部１１０は、アドバイス取得部１１２が取得したアドバイスをタスク作成用の表示画面に表示する。図４において、「依頼する仕事の方向性」、「理想的な接し方」、及び「ＮＧ項目」それぞれの枠の中に、アドバイス取得部１１２が取得したアドバイスが表示される。管理者Ｍがタスク作成用の表示画面において遂行タスクの難易度を評価することを契機として、アドバイス取得部１１２は対応するアドバイスを取得し、そのアドバイスを画面提供部１１０が表示画面に表示する。これにより、管理者Ｍは、従業員Ｅに遂行タスクを依頼する際に従業員Ｅに投げかけるアドバイスの参考とすることができる。また、管理者Ｍは、必要に応じて、遂行タスクを依頼する従業員Ｅの人選を再考するきっかけとすることができる。
【００４５】
図７は、実施の形態に係る画面提供部１１０が従業員端末３に提供する表示画面の一例を示す図であり、タスク回答用の表示画面を例示する模式図である。図７に示すように、タスク回答用の表示画面には、タスクを割り当てられた従業員Ｅが遂行タスクを遂行する前に、従業員Ｅによるその遂行タスクの難易度の評価を示す事前評価情報を入力するための入力欄が設けられている。従業員Ｅは、従業員端末３に表示されたタスク回答用の表示画面中の入力欄に、遂行タスクの難易度に関する事前評価を入力することができる。
【００４６】
従業員評価取得部１１３は、従業員端末３から、従業員Ｅによる遂行タスクの遂行前に、事前評価情報を取得する。画面提供部１１０は、管理者端末２に、管理者Ｍによる遂行タスクの難易度の評価と従業員による遂行タスクの難易度の評価との差に応じて定まるアドバイスであって、管理者Ｍが従業員Ｅに遂行タスクを遂行させるためのアドバイスを示す表示画面を提供する。
【００４７】
具体的には、アドバイス取得部１１２は、従業員Ｅがタスク回答用の表示画面に入力した事前評価情報を従業員評価取得部１１３から取得するとともに、管理者Ｍがタスク作成用の表示画面に入力した管理者評価情報を管理者評価取得部１１１から取得する。アドバイス取得部１１２は、取得した事前評価情報と管理者評価情報とに基づいて、第２アドバイスデータベースを参照することによって対応するアドバイスを取得する。
【００４８】
図８は、実施の形態に係るアドバイス取得部１１２が参照する第２アドバイスデータベースのデータ構造を模式的に示す図である。第１アドバイスデータベースと同様に、第２アドバイスデータベースは記憶部１０に格納されており、アドバイス取得部１１２によって管理されている。図８に示す例では、第２アドバイスデータベースには、従業員のタイプを第１条件、管理者Ｍによる遂行タスクの難易度の評価と従業員による遂行タスクの難易度の評価との差を第２条件として、条件毎にアドバイスが格納されている。画面提供部１１０は、アドバイス取得部１１２が取得したアドバイスを管理者端末２に表示させる。
【００４９】
上述したように、管理者評価情報が示す評価と事前評価情報が示す評価との差が大きいときは、管理者Ｍと従業員Ｅとの間で遂行タスクに対する理解に乖離がある可能性がある。第２アドバイスデータベースには、このような場合に管理者Ｍが従業員Ｅに対して伝えるべき事項の例が事前に用意されている。したがって、管理者Ｍは、情報処理装置１から提供されたアドバイスを見ることにより、タスク遂行を依頼する従業員Ｅに対するアドバイスの参考とすることができる。
【００５０】
図示はしないが、遂行タスクを完了した従業員Ｅは、遂行タスクが完了したことを通知するアイコン（不図示）を押下することにより、管理者Ｍに作業の完了を示す情報を通知する。完了情報取得部１１４は、従業員端末３から遂行タスクの完了を示す情報を取得する。完了情報取得部１１４が遂行タスクの完了を示す情報を取得すると、画面提供部１１０は、管理者端末２に、管理者評価情報が示す難易度の評価とタスク評価情報が示す評価とに応じて定まるアドバイスであって、遂行タスクの成果に関して管理者Ｍが従業員Ｅに伝えるべきアドバイスを示す表示画面を提供する。
【００５１】
図９は、実施の形態に係る画面提供部１１０が管理者端末２に提供する表示画面の一例を示す図であり、成果に対する管理者Ｍの評価用の表示画面を例示する模式図である。図９に示すように、成果に対する管理者Ｍの評価用の表示画面において、管理者Ｍは、従業員Ｅが遂行した遂行タスクの成果に対する評価を端的に示す数字を選択することができる。図９では、管理者Ｍは、遂行タスクの成果に対する評価として、１０段階中「７」を選択していることを示している。
【００５２】
管理者評価取得部１１１は、遂行タスクの成果に対する管理者Ｍの評価を示すタスク評価情報を取得する。アドバイス取得部１１２は、管理者評価取得部１１１が取得した管理者評価情報と管理者Ｍが従業員Ｅにタスクを割り当てる際に設定した管理者評価情報とに基づいて、第３アドバイスデータベースを参照して、遂行タスクの成果に関して管理者Ｍが従業員Ｅにフィードバックすべきアドバイスを取得する。
【００５３】
図１０は、実施の形態に係るアドバイス取得部１１２が参照する第３アドバイスデータベースのデータ構造を模式的に示す図である。第３アドバイスデータベースは記憶部１０に格納されており、アドバイス取得部１１２によって管理されている。図１０に示す例では、第３アドバイスデータベースには、従業員のタイプを第１条件、管理者Ｍによる遂行タスクの難易度の評価を第２条件、遂行タスクの成果に対する管理者Ｍの評価を第３条件として、条件毎にアドバイスが格納されている。画面提供部１１０は、アドバイス取得部１１２が取得したアドバイスを管理者端末２に表示させる。
【００５４】
例えば、管理者Ｍが高い難易度のタスクであると判断した遂行タスクについて従業員Ｅが高評価の成果を出した場合、管理者Ｍはその事実を従業員Ｅに伝え、従業員Ｅの自己効力感を高めるべきである。従業員Ｅの自己効力感が向上すれば、その従業員Ｅはさらなる遂行タスクにも自信を持って前向きに取り組むことができるようになるからである。反対に、管理者Ｍが普又はそれ以下の難易度のタスクであると判断した遂行タスクについて従業員Ｅがよい成果を出せなかった場合には、管理者Ｍはそのことを従業員Ｅに伝えるべきであるが、従業員Ｅの自己効力感をいたずらに下げるような伝え方をすべきではない。従業員Ｅの自己効力感が低下した状態では、従業員Ｅが本来であれば発揮可能な能力を発揮できなくなる恐れがあるからである。
【００５５】
このように、従業員Ｅによる遂行タスクの成果に対する評価のフィードバックは、その後の従業員Ｅの自己効力感の変動に影響を与えうる。そのため、第３アドバイスデータベースには、管理者Ｍが成果に対する評価を従業員Ｅにフィードバックする際に、従業員Ｅの自己効力感を維持ないし高めるようなアドバイスの例があらかじめ格納されている。したがって、管理者Ｍは、情報処理装置１から提供されたアドバイスを見ることにより、成果の評価をフィードバックする際に従業員Ｅに対するアドバイスの参考とすることができる。
【００５６】
図１１は、実施の形態に係る画面提供部１１０が従業員端末３に提供する表示画面の一例を示す図であり、タスク遂行のために管理者Ｍがした行動を従業員Ｅが評価するための表示画面を例示する模式図である。図１１に示す表示画面において、従業員Ｅは、タスク遂行のために管理者Ｍが過去に提供したアドバイスを見直したり、遂行タスクの遂行に関して管理者Ｍが行ったマネージメントに対する従業員Ｅの評価を示すマネージメント評価情報を入力したりすることができる。図１１に示すように、マネージメント評価情報は、管理者Ｍのマネージメントに対する従業員Ｅの評価を端的に示す数字である。図１１では、従業員Ｅは、管理者Ｍに対する評価として、１０段階中「６」を選択していることを示している。
【００５７】
従業員評価取得部１１３は、従業員端末３から、遂行タスクの遂行に関して管理者Ｍが行ったマネージメントに対する従業員Ｅの評価を示すマネージメント評価情報を取得する。このように、情報処理装置１は、管理者Ｍによる従業員Ｅの成果に対する評価のみならず、管理者Ｍのマネージメントに対する従業員Ｅの評価も取得することで、管理者Ｍは、管理者Ｍと従業員Ｅとを含むグループ全体での問題点に気づく機会を得ることができる。
【００５８】
＜情報処理システムＳにおいて実行される情報処理方法の処理フロー＞
図１２は、実施の形態に係る情報処理システムＳで実行される情報処理の流れの前半部分を説明するためのシーケンス図である。
【００５９】
画面提供部１１０は、管理者端末２に、従業員Ｅを示す情報を含む表示画面を提供する（Ｓ２）。管理者端末２は、画面提供部１１０から受信した従業員Ｅの一覧画面を表示する（Ｓ４）。管理者端末２は、従業員Ｅに遂行させるタスクである遂行タスク、遂行タスクの完了期限、及び管理者Ｍによる遂行タスクの難易度の評価を示す管理者評価情報を情報処理装置１に送信する（Ｓ６）。画面提供部１１０は、管理者評価情報に基づいてアドバイス取得部１１２が第１アドバイスデータベースから取得したアドバイスを管理者端末２に提供する（Ｓ８）。
【００６０】
管理者端末２は、情報処理装置１から取得したアドバイスを表示して管理者Ｍに提示する（Ｓ１０）。管理者端末２は、遂行タスクが割り当てられた従業員Ｅが利用する従業員端末３に、遂行タスク、遂行タスクの完了期限、及びアドバイスを送信する（Ｓ１２）。従業員端末３は、従業員Ｅによる遂行タスクの遂行前に従業員Ｅによる遂行タスクの難易度の評価を示す事前評価情報を情報処理装置１に送信する（Ｓ１４）。
【００６１】
画面提供部１１０は、管理者端末２に、管理者Ｍによる遂行タスクの難易度の評価と従業員Ｅによる遂行タスクの難易度の評価との差に応じて定まるアドバイスを提供する（Ｓ１６）。管理者端末２は、従業員端末３に、管理者Ｍが従業員Ｅに遂行タスクを遂行させるためのアドバイスを送信する（Ｓ２０）。
【００６２】
図１３は、実施の形態に係る情報処理システムＳで実行される情報処理の流れの後半部分を説明するためのシーケンス図である。
【００６３】
従業員端末３は、遂行タスクを完了した従業員Ｅがそのことを情報処理装置１に通知するためのアイコンを押下することを契機として、遂行タスクの完了を示す完了情報を情報処理装置１に送信する（Ｓ２２）。完了情報取得部１１４は、従業員端末３が送信した完了情報を取得する（Ｓ２４）。
【００６４】
管理者端末２は、遂行タスクの成果に対する管理者Ｍの評価を示すタスク評価情報を情報処理装置１に送信する（Ｓ２６）。管理者評価取得部１１１は、遂行タスクの成果に対する管理者Ｍの評価を示すタスク評価情報を管理者端末２から取得する（Ｓ２８）。アドバイス取得部１１２は、管理者評価情報が示す難易度の評価とタスク評価情報が示す評価とに応じて定まるアドバイスを取得し、画面提供部１１０はアドバイス取得部１１２が取得したアドバイスを管理者端末２に提供する（Ｓ３０）。
【００６５】
管理者端末２は、情報処理装置１から取得したアドバイスを表示して管理者Ｍに提示する（Ｓ３２）。管理者端末２は、従業員端末３に、遂行タスクの成果に関して管理者Ｍが従業員Ｅに伝えるべきアドバイスを送信する（Ｓ３４）。
【００６６】
従業員端末３は、従業員Ｅによる管理者Ｍのマネージメントに対する評価を示すマネージメント評価情報を情報処理装置１に送信する（Ｓ３６）。情報処理装置１は、従業員端末３から、管理者Ｍのマネージメントに対する評価を受信する（Ｓ３８）。
【００６７】
＜実施の形態に係る情報処理装置１が奏する効果＞
以上説明したように、実施の形態に係る情報処理装置１によれば、管理者Ｍがタスク遂行を依頼した従業員Ｅの支援をするための技術を提供することができる。
【００６８】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果をあわせ持つ。
【００６９】
＜第１の変形例＞
上記では、第１アドバイスデータベース、第２アドバイスデータベース、及び第３アドバイスデータベースの３つのデータベースについて説明した。各データベースに記載されている条件は一例であり、条件の一部が変更されてもよい。例えば、条件として従業員のタイプのみを採用してもよいし、自己効力感やコンディションを条件としてもよい。
【００７０】
＜第２の変形例＞
上記では、管理者Ｍが遂行タスクを作成し、従業員Ｅに割り当てる場合について説明した。これに代えて、あるいはこれに加えて、従業員Ｅ自身が遂行タスクを作成し、管理者Ｍに提案して了承を得るようにしてもよい。この場合、画面提供部１１０が、従業員端末３にタスク生成画面（不図示）を提供するとともに、従業員Ｅが提案した遂行タスクに対する管理者Ｍの難易度の評価をするための画面を管理者端末２に提示するようにすればよい。
【００７１】
＜第３の変形例＞
画面提供部１１０は、管理者Ｍが従業員Ｅに割り当てた遂行タスクの期限までの残り日数が所定の日数以下（例えば、タスク遂行に当てられた全期間の１０％以下）となった場合、遂行タスクが割り当てられた従業員Ｅの自己効力感が所定の値以下となった場合、又は、遂行タスクが割り当てられた従業員Ｅのコンディションが所定の値以下となった場合、のいずれか一つの条件を満たすとき、管理者端末２に注意を喚起するメッセージ（不図示）を示す画面を提供してもよい。
【００７２】
＜第４の変形例＞
上記では、成果に対する管理者Ｍの評価用の表示画面において、画面提供部１１０は、管理者Ｍは遂行タスクの成果に対する評価を選択可能な表示画面を管理者端末２に提供する場合について説明した。これに加えて、画面提供部１１０は、遂行タスクの遂行過程（プロセス）に関する管理者Ｍの評価を選択できるようにしてもよい。
【００７３】
＜第５の変形例＞
上記では、画面提供部１１０は、管理者Ｍが従業員Ｅに対して行うアドバイスを管理者端末２に提供する場合について説明した。これに加えて、画面提供部１１０は、従業員Ｅが管理者Ｍに対する接し方に関するアドバイス（例えば、管理者Ｍの特徴、ＮＧ行動、報告の仕方、相談の仕方、及び依頼の受け方）を従業員端末３に提供してもよい。
【００７４】
＜第６の変形例＞
情報処理装置１は、従業員Ｅのコンディション及び自己効力感と、各従業員Ｅ及び従業員Ｅが所属する部署の業績との相関を示すグラフを、管理者端末２及び従業員端末３に提供してもよい。これは、情報処理装置１中の図示しないグラフ生成部がグラフを生成し、画面提供部１１０が管理者端末２及び従業員端末３にグラフを提供することで実現できる。なお、従業員Ｅ又は管理者Ｍが、それぞれ個人の売上や部署としての売上を端末を介して情報処理装置１に入力し、入力された情報にも基づいてグラフ生成部がグラフを生成すればよい。
【００７５】
＜第７の変形例＞
記憶部１０は、管理者Ｍが行った遂行タスクの評価や、各従業員Ｅのコンディション、自己効力感を含む情報を蓄積してもよい。この情報は、パフォーマンスの高い（タスクの成果に対する評価、自己効力感、及びコンディションが高い）人材や、低い人材がどのような傾向にあるかの分析の材料とすることができる。管理者Ｍは、分析結果を採用に反映することもできる。
【符号の説明】
【００７６】
１・・・情報処理装置
１０・・・記憶部
１１・・・制御部
１１０・・・画面提供部
１１１・・・管理者評価取得部
１１２・・・アドバイス取得部
１１３・・・従業員評価取得部
１１４・・・完了情報取得部
２・・・管理者端末
３・・・従業員端末
Ｓ・・・情報処理システム
【要約】
【課題】管理者がタスク遂行を依頼した従業員の支援をするための技術を提供する。
【解決手段】管理者が利用する管理者端末２と管理者の管理の対象となる従業員が利用する従業員端末３とに通信可能な情報処理装置１において、画面提供部１１０は、管理者端末２に、従業員を示す情報を含む表示画面を提供する。管理者評価取得部１１１は、管理者端末２から、従業員に遂行させるタスクである遂行タスク、遂行タスクの完了期限、及び管理者による遂行タスクの難易度の評価を示す管理者評価情報を取得する。画面提供部１１０は、従業員端末３に、遂行タスクと完了期限とを示す表示画面を提供するとともに、管理者端末２に、管理者による遂行タスクの難易度の評価に応じて定まるアドバイスを示す表示画面を提供する。
【選択図】図２【図１】
0006783961.tif 000002
【図２】
0006783961.tif 000003
【図３】
0006783961.tif 000004
【図４】
0006783961.tif 000005
【図５】
0006783961.tif 000006
【図６】
0006783961.tif 000007
【図７】
0006783961.tif 000008
【図８】
0006783961.tif 000009
【図９】
0006783961.tif 000010
【図１０】
0006783961.tif 000011
【図１１】
0006783961.tif 000012
【図１２】
0006783961.tif 000013
【図１３】
0006783961.tif 000014